(57)【要約】【課題】電話としての機能及び情報端末としての機能のそれぞれにおける使い勝手を向上させるとともに、電話機能として用いる場合の消費電力を低減する。【解決手段】筐体７と筐体２とカバー４とを一つのヒンジ軸を共有するヒンジ部５により回動可能に結合する。筐体７の内側表面に情報端末として機能させる際に用いる第１の操作キー群を配置し、筐体２の内側表面に情報端末として機能させる際に用いる大型表示部を配置する。筐体２の外側表面には、ヒンジ部５側から順に、電話機能専用の第１の操作キー群、小型表示部、スピーカを配置する。カバー４の内側表面にマイクを配置するとともに、折り畳んだときカバー４により電話機能専用の第１の操作キー群を保護する。【選択図】図２
2005051551.tif 000002
【特許請求の範囲】
【請求項１】
電子メール送受信、インターネット閲覧、ゲーム実行等の情報端末としての機能を有する折り畳み型携帯電話機において、
２種類の開閉構造を一つのヒンジ軸を共有するヒンジ部により該ヒンジ軸を中心にしてそれぞれ個別に開閉可能な折り畳み構成とし、一方の開閉構造を開いた状態で電話機能が利用可能となり、他方の開閉構造を開いた状態で前記情報端末としての機能が利用可能となるように構成したことを特徴とする折り畳み型携帯電話機。
【請求項２】
電子メール送受信、インターネット閲覧、ゲーム実行等の情報端末としての機能を有する折り畳み型携帯電話機において、
第１の筐体と、第２の筐体と、カバーとが一つのヒンジ軸を共有するヒンジ部により該ヒンジ軸を中心にして回動可能に結合され、
折り畳まれたときに内側となる前記第１の筐体の一方の面に、前記情報端末として機能させる際に用いる第１の操作キー群が配置され、
折り畳まれたときに前記第１の筐体の一方の面と対向する前記第２の筐体の一方の面に、前記情報端末として機能させる際に用いる大型の第１の表示部が配置され、
前記第２の筐体の他方の面に、前記ヒンジ部に近い方から順に、電話として機能させる際に用いる第２の操作キー群、小型の第２の表示部、及びスピーカが配置され、
前記カバーは、折り畳まれたときに前記第２の筐体の他方の面に配置された前記第２の操作キー群を覆うとともに、前記カバーの折り畳まれたときに内側となる面にマイクが配置されている
ことを特徴とする折り畳み型携帯電話機。
【請求項３】
前記第１の筐体の内面における前記ヒンジ部から離れた端部近傍に第２のマイクを配置するとともに、前記第２の筐体の内面における前記第１の表示部を挟んで前記ヒンジ部と対向する端部側に第２のスピーカを配置し、前記第１の操作キー群を用いた電話機能も付加されていることを特徴とする請求項２に記載の折り畳み型携帯電話機。
【請求項４】
前記第１の筐体の内面における前記ヒンジ部から離れた端部近傍に第２のマイクを配置するとともに、前記スピーカに代えて前記第２の筐体の内面における前記第１の表示部を挟んで前記ヒンジ部と対向する端部側に、前記第２の筐体の内面側及び外面側に回動可能な回転式スピーカを配置し、前記第１の操作キー群を用いた電話機能も付加されていることを特徴とする請求項２に記載の折り畳み型携帯電話機。
【請求項５】
前記ヒンジ部にカメラモジュール（デジタルカメラ）を搭載し、前記第１の表示部に画像を表示しながらのテレビ電話機能を備えていることを特徴とする請求項３または４に記載の折り畳み型携帯電話機。
【請求項６】
前記第１の操作キー群の中から選定した一部のキーを、前記第２の筐体の一方の面における前記第１の表示部を挟んで前記ヒンジ部と対向する端部側に配置したことを特徴とする請求項２〜５のいずれかに記載の折り畳み型携帯電話機。
【発明の詳細な説明】
【技術分野】
【０００１】
本発明は、折り畳み型携帯電話機に関し、特に、電子メール送受信や、インターネット閲覧、ゲーム実行等の情報端末としての機能も有する折り畳み型携帯電話機に関する。
【背景技術】
【０００２】
近年、主流となっている折り畳み型携帯電話機は、スピーカ及び表示部（液晶ディスプレイ）を有する第１の筐体とマイク及びキー入力操作部を有する第２の筐体とがヒンジ部により回動可能に結合された構成となっており、使用しないときには携帯に便利なように折り畳んだ状態とし、使用時には第１及び第２の筐体をヒンジ部を軸として開き、表示部を見ながらキー操作を行ったり、スピーカ及びマイクによる通話等を行えるようになっている。
【０００３】
それぞれの筐体は、電子回路基板、液晶ディスプレイ、バッテリ等を内蔵しているため、ある程度の重さがある。そのため、ヒンジ部にバネ等を内蔵して筐体の上部を跳ね上がる構造にして、使用者が開く際の補助機構を設け、また、開いた後、簡単に閉じないような機構を設けている。閉じる際も開角度が小さくなったら閉じる方向にヒンジが動作する機構を持つものもある。このように、従来の折り畳み型携帯電話機では、電話機能を使用する場合にも使用者が片手で開閉できるようにするために、複雑な開閉機構が用いられている。
【０００４】
また、通常の電話機能以外に、電子メール送受信や、インターネット閲覧、ゲーム実行等の情報端末としての機能を備えた折り畳み型携帯電話機（例えば特許文献１〜３参照）も増えており、そのため搭載される表示部（液晶ディスプレイ）のサイズも大型化する傾向にある。さらに複数の表示部を備えたもの、例えば、第１の筐体の背面側にも小型のディスプレイを配置し、この小型のディスプレイに着呼時の相手電話番号表示あるいは時計表示等の簡単な情報を折り畳んだ状態でも確認できるようにしているものもある。
【０００５】
このような電子メール送受信や、インターネット閲覧、ゲーム実行等の情報端末としての機能を備えた折り畳み型携帯電話機を、本来の電話機能として使用する場合には、通常、上記筐体を開いてキー入力操作部より相手電話番号を入力し、ディスプレイに表示された相手電話番号を確認して発呼を行い、接続後各筐体の端部側に配置されたマイク及びスピーカにより通話することになるが、その際、筐体の内側の大型ディスプレイにより表示動作が行われ、かつバックライトも点灯するため、一時的にしても大電力が消費される。
【０００６】
特許文献３では、電話機能を折り畳んだ状態と開いた状態の何れでも実行できるように構成した折り畳み型携帯電話機が記載されているが、そのために、筐体間の接合継手として、開閉用横軸Ｘとこの横軸Ｘに直交する表裏転換用縦軸Ｙとにおいて各別に旋回することができる自在継手を採用する必要がありヒンジ部の構成が複雑となる。また、表示は筐体内側に配置された大型ディスプレイに表示された一部の表示を、透視窓を通して目視する構成であるために、表示に伴う電力消費は大きい。
【０００７】
また、上記従来の携帯電話機の入力キーは、電話機能の他に電子メールの送受信等、情報端末としての入力機能を有している。そのため、操作ボタンの表面には、数字の他に、ひらがなや英字等が印字されており、ダイヤル操作の際に操作ボタン上の文字が見づらい。
【０００８】
【特許文献１】特開２００１−１７５６０９号公報
【特許文献２】特開２００１−３５８８１１号公報
【特許文献３】特開２００２−１７６４７６号公報
【発明の開示】
【発明が解決しようとする課題】
【０００９】
本発明の目的は、上記問題点に鑑み、電子メール送受信や、インターネット閲覧、ゲーム実行等の情報端末としての機能も有する折り畳み型の携帯電話機において、電話としての機能及び情報端末としての機能のそれぞれにおける使い勝手を向上させるとともに、電話機能として用いる場合の消費電力を低減可能な手段を提供することにある。
【００１０】
本発明の他の目的は、上記機能を有する折り畳み型の携帯電話機を比較的簡単かつ単純な構成により実現する手段を提供することにある。
【課題を解決するための手段】
【００１１】
本発明は、電子メール送受信、インターネット閲覧、ゲーム実行等の情報端末としての機能を有する折り畳み型携帯電話機において、２種類の開閉構造を一つのヒンジ軸を共有するヒンジ部により該ヒンジ軸を中心にしてそれぞれ個別に開閉可能な折り畳み構成とし、一方の開閉構造を開いた状態で電話機能が利用可能となり、他方の開閉構造を開いた状態で前記情報端末としての機能が利用可能となるように構成したことを特徴とする。
【００１２】
具体的には、電子メール送受信、インターネット閲覧、ゲーム実行等の情報端末としての機能を有する折り畳み型携帯電話機において、第１の筐体と、第２の筐体と、カバーとが一つのヒンジ軸を共有するヒンジ部により該ヒンジ軸を中心にして回動可能に結合され、折り畳まれたときに内側となる前記第１の筐体の一方の面に、前記情報端末として機能させる際に用いる第１の操作キー群が配置され、折り畳まれたときに前記第１の筐体の一方の面と対向する前記第２の筐体の一方の面に、前記情報端末として機能させる際に用いる大型の第１の表示部が配置され、前記第２の筐体の他方の面に、前記ヒンジ部に近い方から順に、電話として機能させる際に用いる第２の操作キー群、小型の第２の表示部、及びスピーカが配置され、前記カバーは、折り畳まれたときに前記第２の筐体の他方の面に配置された前記第２の操作キー群を覆うとともに、前記カバーの折り畳まれたときに内側となる面にマイクが配置されていることを特徴とする。
【発明の効果】
【００１３】
本発明の電子メール送受信、インターネット閲覧、ゲーム実行等の情報端末としての機能を有する折り畳み型携帯電話機において、電話機能を使用する場合には、マイク８しか搭載していないカバー４を開いて必要最小限の操作ボタン９を押すだけなので、操作が容易となり全て片手で操作できる。
【００１４】
また、電話機能を使用する場合、筐体２と筐体７を開く必要がないため、筐体２内側に搭載されている大型ディスプレイ１２が表示動作することがなく、そのバックライトも点灯することがないため、消費電力を抑えることができる。
【００１５】
さらに、電話機能と情報端末としての操作ボタンを操作ボタン９を操作ボタン１０、１１分離することにより、電話機能専用の操作ボタン９表面の印字を数字のみにできるために見易くなる。
【００１６】
また、右手親指で入力する右親指操作ボタン１０と、左手親指で入力する左親指操作ボタン１１に分けることにより、文字、記号等の入力が容易であり、かつ俊敏性を要求される携帯電話機用のゲーム等への素早い反応（入力）が可能となる。
【発明を実施するための最良の形態】
【００１７】
図１〜図４は、本発明の第１の実施形態を示しており、図１は、本実施形態の折り畳み型携帯電話機を折り畳んだ状態で筐体２の外側に搭載された小型ディスプレイ３面側から見た正面図、図２は、本実施形態の折り畳み型携帯電話機を折り畳んだ状態で図１の左側面から見た図を、図３は、本実施形態の折り畳み型携帯電話機を、図１の状態からヒンジ５を軸として図２の矢印Ａに従ってカバー４を開いた状態を筐体２外側に搭載された小型ディスプレイ３面側から見た正面図、図４は、本実施形態の折り畳み側携帯電話機を、図１の状態からヒンジ５を軸として図２の矢印Ｂに従って筐体７を開いた状態を筐体２内側に搭載された大型ディスプレイ１２面側から見た正面図をそれぞれ示している。
【００１８】
以下、図１〜図４を参照して、本実施形態の折り畳み型携帯電話機の構成要素を説明する。
【００１９】
１は携帯電話機本体、２は２つのディスプレイを表裏に搭載した筐体、３は筐体２の外側に搭載された小型ディスプレイ、４は電話をかける時に操作するボタンを未使用時に隠すカバーである。カバー４の内面側には、マイク８が内蔵されている。５は携帯電話機本体を折り畳むヒンジ、６はスピーカである。７はヒンジ５を軸に携帯電話機本体１を開いた時に、右手親指で操作することを前提とした操作ボタンを搭載した筐体である。８はマイク、９は電話をかける時に操作する操作ボタンである。
【００２０】
１０は筐体７に搭載され、右手親指で操作することを前提とした操作ボタンで、文字や数字、記号を入力するボタン、電源のＯＮ／ＯＦＦボタン、画面のスクロール等を行うための十字ボタン、メニュー画面表示等の特殊な機能を持たせたボタン等から構成される。１１は筐体２に搭載され、左手親指で操作することを前提とした操作ボタンで、入力したひらがなをカタカナや漢字に変換するボタンや、操作ボタン１０に印字された英字ボタンと同時に押すことで、大文字または小文字で入力することのできるシフトボタン等から構成される。
【００２１】
なお、各操作ボタン９、１０、１１のボタン数は、図３、図４に示されている数であるとは限らず、またそれらを押すことによって入力される内容も前記の内容に限る訳ではない。１２は筐体７の内側に搭載された大型ディスプレイである。
【００２２】
次に本実施形態の折り畳み型携帯電話機の動作態様について説明する。
【００２３】
先ず、携帯無線電話機として使用する場合、待受け中は、図１〜図２の状態で、筐体２外側にある小型ディスプレイ３に時刻等を表示させる。電話の着信があった場合は、小型ディスプレイ３に発信者の電話番号等が表示される。使用者は、図１の状態からヒンジ５を軸にしてカバー４を矢印Ａ方向に開き、図３の状態にして、操作ボタン９の中から着信用の操作ボタン９を押し、スピーカ６を耳に、マイク８を口に当てて通話を行う。
【００２４】
使用者が電話の発信を行う場合は、図１の状態から図３の状態にして、小型ディスプレイ３に表示される電話番号等の情報を見ながら、電話番号を操作ボタン９を使って入力した後、発信用の操作ボタン９を押し、着信時と同様にスピーカ６を耳に、マイク８を口に当てて通話を行う。終了する場合は、回線切断用の操作ボタン９を押し、図３の状態からカバー４を折り畳んで図１の状態に戻す。
【００２５】
次に情報端末として使用する場合を、文章を入力する場合を例にして説明する。
【００２６】
図１の折り畳んだ状態から、ヒンジ５を軸にして筐体を矢印Ｂに従って開き、図４のようにヒンジ５を中心にして大型ディスプレイ１２を搭載した筐体２を左側に、右親指操作ボタン１０を搭載した筐体７を右側に配置する。使用者は、大型ディスプレイ１２に表示される文字や画像情報を見ながら、文字や記号等を入力していく。
【００２７】
通常、文字や記号等の入力は、右親指操作ボタン１０を右手親指で押して入力するが、漢字の変換や、右親指操作ボタンの表面に表示されていない記号等の選択には、左親指操作ボタン１１にある変換用ボタンを左手親指で押して、所望の漢字や記号が大型ディスプレイ１２に表示されるまで押し、右親指操作ボタン１０にある決定用ボタンで入力を決定する。英字の大文字・小文字の入力は、左親指操作ボタン１１にあるシフトボタンを押しながら、右親指操作ボタン１０中の所望の英字入力ボタンを押して入力する。
【００２８】
大型ディスプレイ１２に表示されている画面のスクロール等は、右親指操作ボタン１０中の十字ボタンを右手親指で操作する。終了する場合は、右親指操作ボタン１０中の電源ボタンを押し、ヒンジ５を軸にして折り畳むことにより図４の状態から図１の状態に戻す。
【００２９】
また、この携帯電話機を電子ゲーム端末として使用する場合にも、筐体２，７を横置きにして、筐体両端に設置した操作ボタン１０，１１を両親指で操作することができるので、従来の携帯電話機に比べて俊敏、かつ快適に入力することが可能となる。
【００３０】
図５は、本発明の第２の実施形態を示す図であり、第１の実施形態における図４に対応する図である。
【００３１】
本実施形態では、筐体２の表示部１２を挟んでヒンジ部５と対向する端部側に回転式スピーカ１３を配置し、筐体７の内面のヒンジ部５から離れた端部側近傍にマイク１４を搭載したことを特徴とする。スピーカ１３は外向きから内向きに回転させる機構を備えており、これにより、情報端末として使用している状態のときでも操作ボタン群１０，１１を操作することにより即時に電話としても使用することが可能な構成となっている。
【００３２】
なお本実施形態では、回転式スピーカ１３を外側に向けている場合には、第１実施形態の図３に示す電話機として使用するときのスピーカとして用いるので、第１実施形態におけるスピーカ６は必要なくなるが、回転スピーカ１３を用いないで、筐体２のスピーカ６と背中合わせになるようにして、筐体２の内側に第２のスピーカを設けてもよい。
【００３３】
図６は、本発明の第３の実施形態を示す図であり、第１の実施形態における図４に対応する図である。
【００３４】
本実施形態では、第１の実施形態又は第２の実施形態におけるヒンジ５部にカメラモジュール（デジタルカメラ）１５を搭載したことを特徴とする。これにより、例えば第２の実施形態での電話使用の場合、大型ディスプレイ１２に相手の画像を表示しながらのテレビ電話を行うことが可能になる。
【００３５】
なお、上記実施形態では、情報端末として使用する場合の操作ボタンを、筐体７に配置した操作ボタン群１０と筐体２に配置した操作ボタン群１１に分けているが、これらの操作ボタンを全て筐体７側に配置してもよい。その場合、電子ゲーム端末として使用する場合の操作性は多少劣るが、電話機能として使用する場合の操作性の改善及び消費電力の低減効果は得られる。
【図面の簡単な説明】
【００３６】
【図１】本発明の第１の実施形態における折り畳み型携帯電話機を折り畳んだ状態を筐体外側に搭載された小型ディスプレイ面から見た正面図である。
【図２】本実施形態の折り畳み型携帯電話機を折り畳んだ状態を図１の左側面から見た図である。
【図３】本実施形態の折り畳み型携帯電話機を、図１の状態からヒンジを軸として図２の矢印Ａに従ってカバーを開いた状態を筐体２外側に搭載された小型ディスプレイ面から見た正面図である。
【図４】本実施形態の折り畳み側携帯電話機を、図１の状態からヒンジを軸として図２の矢印Ｂに従って筐体を開いた状態を筐体内側に搭載された大型ディスプレイ面から見た正面図である。
【図５】本発明の第２の実施形態を示す図である。
【図６】本発明の第３の実施形態を示す図である。
【符号の説明】
【００３７】
１  携帯電話機本体
２  ２つのディスプレイを搭載した筐体
３  小型ディスプレイ
４  カバー
５  ヒンジ
６  スピーカ
７  操作ボタンを搭載した筐体
８  マイク
９  電話用操作ボタン群
１０  右手親指操作ボタン群
１１  左手親指操作ボタン群
１２  大型ディスプレイ
１３  回転式スピーカ
１４  マイク
１５  カメラモジュール
【図１】
2005051551.tif 000003
【図２】
2005051551.tif 000004
【図３】
2005051551.tif 000005
【図４】
2005051551.tif 000006
【図５】
2005051551.tif 000007
【図６】
2005051551.tif 000008